【事件の表示】
　特願２００３−　８３４３９「画像転送装置、画像転送装置の制御方法及びコンピュータプログラム」拒絶査定不服審判事件〔平成１６年１０月２１日出願公開、特開２００４−２９５２３０〕について、次のとおり審決する。
【結　論】
　本件審判の請求は、成り立たない。
【理　由】
第１．手続の経緯
　本願は、平成１５年３月２５日の出願であって、平成２０年８月４日付けで拒絶の理由が通知され、これに対し、同年１０月１４日付けで意見書ならびに手続補正がなされ、同年１１月７日付けで拒絶査定をしたところ、これに対し、同年１２月１１日に拒絶査定に対する審判請求がなされるとともに平成２１年１月９日付けで手続補正がなされたものである。
　
第２．補正却下の決定
［補正却下の決定の結論］
　　平成２１年１月９日付けの手続補正を却下する。
　
［理由］
１．補正後の本願発明
　上記手続補正（以下、「本件補正」という。）は補正前の特許請求の範囲の請求項２に記載された発明を、
　「複数の色材を備えるプリンタと通信し、同一ページの複数の色の複数のバンド領域の画像データの印刷開始コマンドを送信できない場合、前記複数のバンド領域の全画像データが前記プリンタに送信された後に前記印刷開始コマンドを前記プリンタへ送信する画像転送装置であって、
　前記同一ページの複数の色の複数のバンド領域の画像データについて、プリンタで必要とされる順序を評価する順序評価手段と、
　前記順序評価手段により必要とされると評価された順に従って、前記複数のバンド領域の画像データを送信する送信手段と、
　前記送信手段が前記画像データを送信できない場合、前記送信手段が既に送信している画像データを含む現ページの前ページの印刷が終了しているか否かを判定する判定手段を有し、
　前記送信手段は、前記判定手段において前記前ページの印刷が終了していると判定された場合、既に送信済みの前記現ページの画像データを印刷するために印刷開始コマンドを送信し、当該印刷開始コマンドが送信された後に前記送信できなかった前記画像データを前記プリンタへ送信することを特徴とする画像転送装置。」という発明（以下、「補正後の発明」という。）に変更することを含むものである。
　
２．新規事項の有無、補正の目的要件について
　上記補正は、願書に最初に添付した明細書又は図面に記載した事項の範囲内において、補正前の特許請求の範囲の請求項２に記載された「画像転送装置」及び「判定手段」を「同一ページの複数の色の複数のバンド領域の画像データの印刷開始コマンドを送信できない場合、前記複数のバンド領域の全画像データが前記プリンタに送信された後に前記印刷開始コマンドを前記プリンタへ送信する画像転送装置」及び「前記画像データを送信できない場合、前記送信手段が既に送信している画像データを含む現ページの前ページの印刷が終了しているか否かを判定する判定手段」に限定して特許請求の範囲を減縮するものであるから、特許法第１７条の２第３項（新規事項）及び第４項第２号（補正の目的）の規定に適合している。
　
３．独立特許要件について
　上記補正は特許請求の範囲の減縮を目的とするものであるから、上記補正後の発明が特許出願の際独立して特許を受けることができるものであるのかどうかについて以下に検討する。
　
（１）補正後の発明
　上記「１．補正後の本願発明」の項で認定したとおりである。
　
（２）引用発明及び周知技術
　Ａ．原査定の拒絶理由に引用された特開２００２−２６４４０１号公報（以下、「引用例」という。）には図面とともに以下の事項が記載されている。
　
　ａ．「文字や図形，画像等の印刷データを印刷イメージデータに展開し且つ描画すると共に当該描画された印刷イメージデータを細分化し、該細分化された領域内を定められた数の色に近似して固定長で圧縮する固定長圧縮手段を有する情報処理装置に接続し、印刷色たるシアン（Ｃ），マゼンダ（Ｍ），イエロー（Ｙ）及びブラック（Ｋ）のデータを所定の時間差で同一用紙上に印刷する印刷処理装置であって、
　前記情報処理装置から転送された固定長圧縮データを、光の３原色たるレッド（Ｒ），グリーン（Ｇ），ブルー（Ｂ）から前記印刷色へ色変換し且つ伸張すると共に当該伸張したデータを出力するデータ出力手段を有する複数の印刷出力部と、該印刷出力部への前記固定長圧縮データの転送動作を制御するデータ制御部とを備え、
　前記データ制御部は、前記データ出力手段へ前記固定長圧縮データを転送する度に計数する計数機能と、前記データ出力手段間の出力時間差分の前記固定長圧縮データ数を記憶する記憶機能とを有し、前記計数機能が前記出力時間差分の固定長圧縮データ数に達する度に前記各印刷出力部の出力順に応じてデータ転送順序を変更し、前記出力時間差を調整することを特徴とした印刷処理装置。」（【請求項２】の記載。）
　
　ｂ．「また同様に、図８に示すが如く用紙２０の搬送方向に向けて
印刷色Ｃ，Ｍ，Ｙ，Ｋの順に
その色の順番で印刷が行われる
　
　ｃ．「また、本実施形態にあっても、隣り合う各印刷出力部２Ｃ，２Ｍ，２Ｙ，２Ｋにて
同一のラスタの画像データを出力するのには、Ｎ個分のブロックラスタの出力時間差
　
　ｄ．「【００４１】以下、この印刷処理装置の動作について図９に基づいて詳述する。
【００４２】この印刷処理装置は、先ず、印刷が開始される前に、
データ制御部１４のラスタサイズレジスタに
力時間差（Ｎ個のラスタ数）「Ｎ」を書き込み
【００４３】この印刷処理装置は、図示しない
上位装置からブロックラスタデータが転送されると、データ制御部１４がそのブロックラスタデータをページ単位で画像メモリ１に格納
データ制御部１４は
画像メモリ１から１ページ目の先頭のブロックラスタデータを読み出し、そのブロックラスタデータを、第一印刷出力部２Ｃの第一データ出力手段２Ｃ１に転送
【００４４】
しかる後、データ制御部１４が第一データ出力手段２Ｃ１に指令を送り、この第一データ出力手段２Ｃ１がブロックラスタデータのＲ，Ｇ，Ｂをシアンの画像データに展開（シアンへの色変換及び固定長圧縮データの伸長）し、その画像データを第一感光ドラム２Ｃ２に出力
画像データを用紙２０に印刷
【００４５】続いて、データ制御部１４は、ラスタカウンタの値とラスタサイズレジスタの値とを比較し、その大小を判定する。ここで、ラスタカウンタの値がラスタサイズレジスタの値に対して等しい若しくは小さい場合は、
データ制御部１４が画像メモリ１から１ページ目の二番目のブロックラスタデータを読み出し、そのブロックラスタデータを、第一印刷出力部２Ｃの第一データ出力手段２Ｃ１に転送
第一印刷出力部２Ｃに指令を送り、前述した先頭のブロックラスタデータの場合と同様にシアンの画像データの印刷
【００４６】
以降、データ制御部１４は
第一印刷出力部２Ｃにシアンの画像データの印刷を繰り返し行わせる
【００４７】ラスタカウンタの値がラスタサイズレジスタの値を超え、即ち第一印刷出力部２Ｃに１ページ目の先頭からＮ番目までのブロックラスタデータが転送され、
そのデータの印刷が終了すると
画像メモリ１から１ページ目のＮ＋１番目と先頭のブロックラスタデータを読み出し
【００４８】しかる後、データ制御部１４が第一及び第二のデータ出力手段２Ｃ１，２Ｍ１に指令を送り、第一データ出力手段２Ｃ１がブロックラスタデータのＲ，Ｇ，Ｂをシアンの画像データに展開してその画像データを第一感光ドラム２Ｃ２に出力すると共に、第二データ出力手段２Ｍ１がブロックラスタデータのＲ，Ｇ，Ｂをマゼンタの画像データに展開（マゼンタへの色変換及び固定長圧縮データの伸長）してその画像データを第二感光ドラム２Ｍ２に出力する。そして、その各感光ドラム２Ｃ２，２Ｍ２が各々の画像データを用紙２０に印刷する。
【００４９】以降、データ制御部１４は、第一及び第二のデータ出力手段２Ｃ１，２Ｍ１にブロックラスタデータを転送する度に、ラスタカウンタの値がラスタサイズレジスタの値を超える（ラスタカウンタの値が「Ｎ」になる）までラスタカウンタを一つずつ計数し、第一及び第二の感光ドラム２Ｃ２，２Ｍ２に
各色の画像データの印刷を繰り返し行わせる
【００５０】ラスタカウンタの値がラスタサイズレジスタの値を超え、即ち第一印刷出力部２Ｃに１ページ目のＮ＋１から２Ｎ番目までの、第二印刷出力部２Ｍに１ページ目の先頭からＮ番目までのブロックラスタデータが転送され、そのデータの印刷が終了すると、用紙２０の先頭が第三印刷出力部２Ｙに到達する。その際、データ制御部１４は、ラスタカウンタを「０」にリセットして、画像メモリ１から１ページ目の２Ｎ＋１番目，Ｎ＋１番目，並びに先頭のブロックラスタデータを読み出す。そして、２Ｎ＋１番目のブロックラスタデータを第一印刷出力部２Ｃの第一データ出力手段２Ｃ１に、Ｎ＋１番目のブロックラスタデータを第二印刷出力部２Ｍの第二データ出力手段２Ｍ１に、先頭のブロックラスタデータを第三印刷出力部２Ｙの第三データ出力手段２Ｙ１に転送すると共にラスタカウンタを計数（＋１）する。
【００５１】
しかる後、データ制御部１４が第一から第三のデータ出力手段２Ｃ１，２Ｍ１，２Ｙ１に指令を送り
２Ｃ２，２Ｍ２，２Ｙ２が各々の画像データを用紙２０に印刷する
【００５２】以降、データ制御部１４は、第一から第三のデータ出力手段２Ｃ１，２Ｍ１，２Ｙ１にブロックラスタデータを一つずつ転送する度に、ラスタカウンタの値がラスタサイズレジスタの値を超える（ラスタカウンタの値が「Ｎ」になる）までラスタカウンタを一つずつ計数し、第一から第三の感光ドラム２Ｃ２，２Ｍ２，２Ｙ２に各色の画像データの印刷を繰り返し行わせる。
【００５３】ラスタカウンタの値がラスタサイズレジスタの値を超え、即ち第一印刷出力部２Ｃに１ページ目の２Ｎ＋１から３Ｎ番目までの、第二印刷出力部２Ｍに１ページ目のＮ＋１から２Ｎ番目までの、第三印刷出力部２Ｙに１ページ目の先頭からＮ番目までのブロックラスタデータが転送され、そのデータの印刷が終了すると、用紙２０の先頭が第四印刷出力部２Ｋに到達する。その際、データ制御部１４は、ラスタカウンタを「０」にリセットして、画像メモリ１から１ページ目の３Ｎ＋１番目，２Ｎ＋１番目，Ｎ＋１番目，並びに先頭のブロックラスタデータを読み出す。そして、３Ｎ＋１番目のブロックラスタデータを第一印刷出力部２Ｃの第一データ出力手段２Ｃ１に、２Ｎ＋１番目のブロックラスタデータを第二印刷出力部２Ｍの第二データ出力手段２Ｍ１に、Ｎ＋１番目のブロックラスタデータを第三印刷出力部２Ｙの第三データ出力手段２Ｙ１に、先頭のブロックラスタデータを第四印刷出力部２Ｋの第四データ出力手段２Ｋ１に転送してラスタカウンタを計数（＋１）する。
【００５４】しかる後、データ制御部１４が第一から第四のデータ出力手段２Ｃ１，２Ｍ１，２Ｙ１，２Ｋ１に指令を送り、第一データ出力手段２Ｃ１がブロックラスタデータのＲ，Ｇ，Ｂをシアンの画像データに展開してその画像データを第一感光ドラム２Ｃ２に出力すると共に、第二データ出力手段２Ｍ１がブロックラスタデータのＲ，Ｇ，Ｂをマゼンタの画像データに展開してその画像データを第二感光ドラム２Ｍ２に出力し、第三データ出力手段２Ｙ１がブロックラスタデータのＲ，Ｇ，Ｂをイエローの画像データに展開してその画像データを第四感光ドラム２Ｙ２に出力し、第四データ出力手段２Ｋ１がブロックラスタデータのＲ，Ｇ，Ｂを黒の画像データに展開してその画像データを第四感光ドラム２Ｋ２に出力する。そして、その各感光ドラム
２Ｃ２，２Ｍ２，２Ｙ２，２Ｋ２が各々の画像データを用紙２０に印刷
【００５５】以降、
データ制御部１４は、第一から第四のデータ出力手段２Ｃ１，２Ｍ１，２Ｙ１，２Ｋ１にブロックラスタデータを転送
第一から第四の感光ドラム２Ｃ２，２Ｍ２，２Ｙ２，２Ｋ２に各色の画像データの印刷を繰り返し行わせる。
第一印刷出力部２Ｃにて１ページ目の最後のラスタ（Ｋ番目のラスタ）の印刷が終了するまでその処理を繰り返し
【００５７】このように
第一印刷出力部２Ｃにて１ページ目の最後のラスタの画像データの印刷が終了すると
データ制御部１４は
画像メモリ１から２ページ目の先頭，並びに１ページ目のＫ−Ｎ＋１番目，Ｋ−２Ｎ＋１番目，及びＫ−３Ｎ＋１番目のブロックラスタデータを読み出す。そして、先頭のブロックラスタデータを第一データ出力手段２Ｃ１に、Ｋ−Ｎ＋１番目のブロックラスタデータを第二データ出力手段２Ｍ１に、Ｋ−２Ｎ＋１番目のブロックラスタデータを第三データ出力手段２Ｙ１に、Ｋ−３Ｎ＋１番目のブロックラスタデータを第四データ出力手段２Ｋ１に転送する
【００５８】以降、データ制御部１４は、各データ出力手段２Ｃ１，２Ｍ１，２Ｙ１，２Ｋ１にブロックラスタデータを転送する度に、ラスタカウンタの値がラスタサイズレジスタの値を超える（ラスタカウンタの値が「Ｎ」になる）までラスタカウンタを一つずつ計数し、
各感光ドラム２Ｃ２，２Ｍ２，２Ｙ２，２Ｋ２に各色の画像データの印刷を繰り返し行わせる
【００５９】ラスタカウンタの値がラスタサイズレジスタの値を超え、即ち第一印刷出力部２Ｃに２ページ目の先頭からＮ番目までの、第二印刷出力部２Ｍに１ページ目のＫ−Ｎ＋１からＫ番目までの、第三印刷出力部２Ｙに１ページ目のＫ−２Ｎ＋１からＫ−Ｎ番目までの、第四印刷出力部２Ｋに１ページ目のＫ−３Ｎ＋１からＫ−２Ｎ番目までのブロックラスタデータが転送され、そのデータの印刷が行われると、第二印刷出力部２Ｍにて１ページ目の印刷が終了し、２ページ目の用紙の先頭がその第二印刷出力部２Ｍに到達する。」（段落【００４１】〜【００５９】の記載。）
　
　(１)．記載ｂ及びｃによれば、引用例記載の「印刷処理装置」は、シアン、マゼンタ、イエロー、ブラックの順番で印刷され、各印刷出力部に同一のラスタの画像を出力するのには、Ｎ個分のブロックラスタの出力時間差がある。
　(２)．記載ｄ．段落【００４２】によれば、データ制御部のデータサイズレジスタに各印刷出力部間の出力時間差Ｎを書き込む。
　(３)．記載ｄ．【段落００４３】によれば、情報処理装置からブロックラスタデータが転送されると、印刷処理装置のデータ制御部はブロックラスタデータをページ単位で画像メモリに格納し、データ制御部は画像メモリから１ページ目の先頭のブロックデータを読み出し、そのブロックラスタデータを第一印刷出力部の第一データ出力手段に転送する。
　(４)．記載ｄ．【００４４】によれば、しかる後、データ制御部が第一データ出力手段に指令を送り、第一データ出力手段がブロックラスタデータを、シアンの画像データに展開し、その画像を第一感光ドラムに出力して、用紙に印刷する。
　(５)．記載ｄ．段落【００４５】乃至【００４６】によれば、データ制御部は画像メモリからブロックラスタデータを順次読み出し、そのブロックラスタデータを第一印刷出力部の第一データ出力手段に転送し、その後第一印刷出力部に指令を送りシアンの画像データの印刷を行わせ、第一印刷出力部に１ページ目の先頭からＮ番目までのブロックラスタデータが転送され、データの印刷が終了する。
　(６)．記載ｄ．【００４７】乃至【００５６】によれば、前記動作は、第一印刷出力部乃至第四印刷出力部でそれぞれブロックラスタデータの印刷が行われ、第一印刷出力部で１ページ目の印刷が終了するまで行われる。
　(７)．記載ｄ．【００５７】乃至【００５９】によれば、第一印刷出力部で１ページ目の印刷が終了すると、データ制御部は画像メモリからブロックラスタデータを読み出して、第一データ出力手段に２ページ目の先頭のブロックラスタデータを、第二乃至第四データ出力手段に１ページ目のブロックラスタデータをＮ個分ずつずらせて転送するとともに、第一乃至四印刷出力部で各色の画像データの印刷を繰り返し行なわせる。
　してみると、引用例には以下の発明（以下、「引用発明」という。)が記載されている。
　
　〈引用発明〉
　「印刷データを印刷イメージデータに展開し且つ描画すると共に当該描画された印刷イメージデータを細分化し、該細分化された領域内を定められた数の色に近似して固定長で圧縮する固定長圧縮手段を有する情報処理装置に接続し、印刷色たるシアン（Ｃ），マゼンダ（Ｍ），イエロー（Ｙ）及びブラック（Ｋ）のデータを所定の時間差で同一用紙上に印刷する印刷処理装置であって、
　前記情報処理装置から転送された固定長圧縮データを、伸張して出力するデータ出力手段を有する複数の印刷出力部と、該印刷出力部への前記固定長圧縮データの転送動作を制御するデータ制御部とを備え、
　前記データ制御部は、データサイズレジスタに各印刷出力部の出力時間差を書き込み、情報処理装置から転送されたブロックラスタデータをページ単位で画像メモリに格納し、１ページ目の先頭のブロックラスタデータを読み出し、そのブロックラスタデータを第一印刷出力部の第一データ出力手段に転送した後指令を送り、第一データ出力手段がブロックラスタデータをシアンの画像データに展開し、その画像を第一感光ドラムに出力して用紙に印刷し、画像メモリからブロックラスタデータを順次読み出して転送して、第一乃至第四印刷出力部でそれぞれブロックラスタデータの印刷が行われ、第一印刷出力部で１ページ目の印刷が終了すると、画像メモリからブロックラスタデータを順次読み出して、第一印刷出力部の２ページ目以降の印刷と第二乃至第四印刷出力部の１ページ目の残りの印刷を行わせる印刷処理装置。
　
（３）対比・判断
　補正後の発明と引用発明とを対比する。
　引用発明の「印刷色たるシアン（Ｃ），マゼンダ（Ｍ），イエロー（Ｙ）及びブラック（Ｋ）のデータを所定の時間差で同一用紙上に印刷する」、「印刷出力部」、「転送動作を制御」、「データ制御部」、「ブロックラスタデータ」及び「指令」は、それぞれ、補正後発明の「順序評価手段」、「プリンタ」、「送信手段」、「画像転送装置」、「複数のバンド領域の画像データ」及び「印刷開始コマンド」に相当する。
　　したがって、補正後の発明と引用発明は、以下の一致点と相違点とを有する。
　
〈一致点〉
　「複数の色材を備えるプリンタと通信する画像転送装置であって、
　前記同一ページの複数の色の複数のバンド領域の画像データについて、プリンタで必要とされる順序を評価する順序評価手段と、
　前記順序評価手段により必要とされると評価された順に従って、前記複数のバンド領域の画像データを送信する送信手段とからなる画像転送装置。」
　
〈相違点１〉
　補正後の発明では「同一ページの複数の色の複数のバンド領域の画像データの印刷開始コマンドを送信できない場合、前記複数のバンド領域の全画像データが前記プリンタに送信された後に前記印刷開始コマンドを前記プリンタへ送信」するとの構成を備えるのに対し、引用発明では当該構成につき明示がない点。
　
〈相違点２〉
　補正後の発明では「送信手段が前記画像データを送信できない場合、前記送信手段が既に送信している画像データを含む現ページの前ページの印刷が終了しているか否かを判定する判定手段」を有しているのに対し、引用発明には当該構成につき明示がない点。
　
〈相違点３〉
　送信手段が、補正後の発明では「判定手段において前記前ページの印刷が終了していると判定された場合、既に送信済みの前記現ページの画像データを印刷するために印刷開始コマンドを送信し、当該印刷開始コマンドが送信された後に前記送信できなかった前記画像データを前記プリンタへ送信する」ものであるのに対し、引用発明においては当該構成を備えない点。
　
　相違点につき検討する。
〈相違点１〉
　引用発明の「データサイズレジスタに各印刷出力部の出力時間差を書き込み、情報処理装置から転送されたブロッククラスタデータをページ単位で画像メモリに格納し、１ページ目の先頭のブロックラスタデータを読み出し、そのブロックラスタデータを第一印刷出力部の第一データ出力手段に転送した後指令を送」るデータ制御部との構成は、要するに、データ制御部は「ブロックラスタデータが、ページ単位で画像メモリに格納された後に、指令を送る」というものである。
　当該構成は、相違点１に係る補正後の発明の「複数のバンド領域の全画像データが前記プリンタに送信された後に前記印刷開始コマンドを前記プリンタへ送信」するとの構成に相当する。
　また、引用発明の「１ページ目の先頭のブロックラスタデータを読み出し、そのブロッククラスタデータを第一印刷出力部の第一データ出力手段に転送」との構成の意味するところは、「第一乃至第四の印刷出力部の第一乃至第四データ出力手段」の全てに対して指令を送ることはできないということを意味する。
　当該構成は、補正後の発明の「同一ページの複数の色の複数のバンド領域の画像データの印刷開始コマンドを送信できない場合」との構成と異なるところはない。
　したがって、相違点１係る補正後の発明の備える構成は、引用発明も同じく備えるものであって、この点に係る両者の差異はない。
　
〈相違点２〉
　引用発明の「第一印刷出力部で１ページ目の印刷が終了すると、画像メモリからブロックラスタデータを順次読み出して、第一印刷出力部の２ページ目以降の印刷と第二乃至第四印刷出力部の１ページ目の残りの印刷を行」うとの構成は、要するに、２ページ目の「ブロッククラスタデータ」は、第二乃至第四印刷出力部においては、未だ、１ページ目の印刷が終了していないのであるから、当然に、読み出すことはできない。
　一方、第一印刷出力部では、１ページ目の印刷が終了しており、２ページ目の「ブロッククラスタデータ」を読み出して印刷を行うことができる。
　引用発明におけるこの構成は、補正後の発明の「送信手段が前記画像データを送信できない場合、前記送信手段が既に送信している画像データを含む現ページの前ページの印刷が終了しているか否かを判定する判定手段」を有しているとの構成に相当する。
　したがって、相違点２係る補正後の発明の備える構成は、引用発明も同じく備えるものであって、この点に係る両者の差異はない。
　
〈相違点３〉
　一般に、画像データと印刷開始コマンドとをプリンタに送信する画像転送装置において、「画像データを順次送信」することは、本願出願前周知技術である。
　例えば、特開２００２−３７３０６９号公報（以下、「周知例」という。)には、「ホストコンピュータ側に設けられる印刷装置用のドライバプログラムが、印刷装置への面順次の画像データの送信中に、データ送信が完了するまでの時間を予想し、当該時間が、印刷装置における印刷実行時間よりも小さくなれば、その時点で、印刷装置に印刷開始の起動命令を発信することである。従って、本発明によれば、印刷装置は、画像データの受信を完了する前に印刷動作を開始することができ、従来よりも印刷時間を短縮することができる。」（段落【００１２】の記載。）との記載がなされている。
　当該記載によれば、周知例に開示された周知技術は以下のとおりのものである。
　
〈周知技術〉
　画像データの受信中であっても、所定の条件下で印刷開始の起動命令を受信したときには印刷動作を開始することができる印刷装置。
　
　周知技術における「起動命令を受信」は、補正後の発明の「印刷開始コマンドが送信」に相当する。
　また、周知技術においては「起動命令を受信」したときには、すでに、「画像データを受信中」であるから、当然に、「未受信の画像データ」も「起動命令を受信した」後も受信することとなる。
　当該構成は、補正後の発明の「印刷開始コマンドが送信された後に前記送信できなかった前記画像データを前記プリンタへ送信する」との構成に相当する。
　また、補正後の発明の「判定手段において前記前ページの印刷が終了していると判定された場合、既に送信済みの前記現ページの画像データを印刷するために印刷開始コマンドを送信」との構成は、引用発明の「第一印刷出力部で１ページ目の印刷が終了すると、画像メモリからブロックラスタデータを順次読み出して、第一印刷出力部の２ページ目以降の印刷と第二乃至第四印刷出力部の１ページ目の残りの印刷を行わせる」との構成と異なるところはない。
　したがって、相違点３に係る補正後の発明は、引用発明において、周知技術を採用して当業者が格別の創意を要することなく構成し得たものである。
　
　また、補正後の発明の奏する作用効果も、引用発明及び周知技術からみて格別のものであるとはいえない。
　
　以上のとおり、補正後の発明は引用発明及び周知技術に基づいて容易に発明できたものであるから、特許法第２９条第２項の規定により、特許出願の際独立して特許を受けることができないものである。
　
４．結語
　以上のとおり、本件補正は、補正後の発明が特許出願の際独立して特許を受けることができないものであるから、特許法第１７条の２第５項の規定により準用する特許法第１２６条第５項の規定に適合していない。
　したがって、本件補正は、特許法第１５９条第１項において準用する同法第５３条第１項の規定により却下すべきものである。
　
第３．本願発明について
１．本願発明
　平成２１年１月９日付けの手続補正は上記のとおり却下されたので、本願の請求項２に係る発明（以下、「本願発明」という。）は、平成２０年１０月１４日付けの手続補正書により補正された明細書及び図面の記載からみて、その特許請求の範囲の請求項２に記載された以下のとおりのものと認める。
　「複数の色材を備えるプリンタと通信する画像転送装置であって、
　同一ページの複数の色の複数のバンド領域の画像データについて、プリンタで必要とされる順序を評価する順序評価手段と、
　前記順序評価手段により必要とされると評価された順に従って、前記複数のバンド領域の画像データを送信する送信手段と、
　前記送信手段が送信している画像データを含む現ページの前ページの印刷が終了しているか否かを判定する判定手段を有し、
　前記送信手段は、前記判定手段において前記前ページの印刷が終了していると判定された場合、既に送信済みの前記現ページの画像データを印刷するために印刷開始コマンドを送信し、当該印刷開始コマンドが送信された後に前記送信できなかった画像データを前記プリンタへ送信することを特徴とする画像転送装置。」
　
２．引用発明及び周知技術
　引用発明及び周知技術は、上記「第２．補正却下の決定」の項中の「３．独立特許要件について」の項中の「（２）引用発明及び周知技術」の項に示したとおりである。
　
３．対比・判断
　そこで、本願発明と補正後の発明とでは、上記「第２．補正却下の決定」の項中の「２．新規事項の有無、補正の目的要件について」に項に示したように、本願発明は補正後の発明から当該補正に係る限定を省いたものである。
　そうすると、本願発明の構成に当該補正に係る限定を付加した補正後の発明が、上記「第２．補正却下の決定」の項中の「３．独立特許要件について」の項で検討したとおり、引用発明及び周知技術に基づいて容易に発明できたものであるから、本願発明も同様の理由により、容易に発明できたものである。
　
４．むすび
　以上のとおり、本願発明は、引用発明及び周知技術に基づいて当業者が容易に発明をすることができたものであるから、特許法第２９条第２項の規定により特許を受けることができない。
　
　よって、結論のとおり審決する。